(57)【要約】      （修正有）【課題】運送コストが低減され、使用時には湿度などの影響を受けずに広範囲の場所で使用できる上、カレンダーカードの差換えのみならず絵柄カードも簡易に差換え自在で飽きのこない差換構成カレンダーを提供する。【解決手段】上部ケース１と下部ケース２とが接合手段を介して姿勢縮小自在に接合され、上部ケース１にはシート状の防水処理され、両面に風景又はペット等の絵柄の印刷された絵柄カード４が所要枚数収納され、下部ケース２にはシート状の防水処理され、両面に日付や曜日等の印刷されたカレンダーカード７が所要枚数収納されて成る。ここで、接合手段とは下部ケース２に対して上部ケース１が抜き差し自在（姿勢縮小自在）に接合されるものや、上部ケース１と下部ケース２とがそれぞれ両者に形成される上筒部と下筒部に挿入され、抜け止め手段で抜け止めされる支持ピンによって折畳み展開自在（姿勢縮小自在）に接合されるものなどである。【選択図】図１
0003169112.tif 000002
【実用新案登録請求の範囲】
【請求項１】
上部ケースと下部ケースとが接合手段を介して姿勢縮小自在に接合され、上部ケースにはシート状の、防水処理され両面に風景又はペット等の絵柄の印刷された絵柄カードが所要枚数収納され、下部ケースにはシート状の、防水処理され両面に日付や曜日等の印刷されたカレンダーカードが所要枚数収納されて成る差換構成カレンダー。
【請求項２】
前記接合手段が、下部ケースの両端から底部に渡って形成された横向き凹状の案内溝部と、上部ケースの両端から底部に渡って配設され、前記案内溝部に嵌入する横向き凸状の嵌入部とから成り、両者が抜き差し自在に接合されて成る請求項１記載の差換構成カレンダー。
【請求項３】
前記接合手段が、下部ケースの上端で幅方向に断続状に配設される下筒部と、上部ケースの下端で幅方向に断続状に配設される上筒部と、両者に挿入される支持ピンと、該支持ピンの抜け止め手段とから成り、下部ケースと上部ケースが折畳み展開自在に接合されて成る請求項１記載の差換構成カレンダー。
【考案の詳細な説明】
【技術分野】
【０００１】
本考案は、絵柄カードとカレンダーカードとがそれぞれ差換え自在なカレンダーに関する。
【背景技術】
【０００２】
従来から提案されている数多くのカレンダーの中で、絵や写真等の絵柄を印刷した印刷カード６と透明フィルムに日付や曜日を印刷したカレンダーカード７を重ねてケース本体２の内部２Hに収め、カレンダーカード７に対して印刷カード６を交換して楽しむことができるとする技術が、実用新案登録第３０５５４５０号（特許文献１）に提案されているが、カレンダーカード７に対する印刷カード６の組合わせに手間取る難点がある。
また、絵柄構成品付カレンダーとして提案された実開昭６２−５９６３号公報（特許文献２）や織物カレンダーとして提案された実用新案登録第３１１５８９３号（特許文献３）に見られるように、上半分に絵柄が設けられ、下半分に日付や曜日等を表示するカレンダー（暦欄）が設けられたものでは、絵柄とカレンダーとが一体であるため、カレンダーに対して絵柄を適宜に交換できず、限られた表現で面白味のない自由度の狭い技術である上、運送時には巻物状態で梱包される関係から嵩張る点でも問題であった。
【先行技術文献】
【特許文献】
【０００３】
【特許文献１】実用新案登録第３０５５４５０号
【特許文献２】実開昭６２−５９６３号公報
【特許文献３】実用新案登録第３１１５８９３号
【考案の概要】
【考案が解決しようとする課題】
【０００４】
本考案は、上記カレンダーの従来技術に鑑みて、運送時にはコンパクトな姿勢で運送コストが低減され、使用時には湿度などの影響を受けずに広範囲の場所で使用できる上、カレンダーカードの差換えのみならず絵柄カードも簡易に差換え自在で飽きのこない差換構成カレンダーを提供する。
【課題を解決するための手段】
【０００５】
本考案の請求項１に記載した差換構成カレンダーは、上部ケースと下部ケースとが接合手段を介して姿勢縮小自在に接合され、上部ケースにはシート状の、防水処理され両面に風景又はペット等の絵柄の印刷された絵柄カードが所要枚数収納され、下部ケースにはシート状の、防水処理され両面に日付や曜日等の印刷されたカレンダーカードが所要枚数収納されて成る。
本考案の請求項２に記載した考案は、請求項１に記載した差換構成カレンダーにおいて、
前記接合手段が、下部ケースの両端から底部に渡って形成された横向き凹状の案内溝部と、上部ケースの両端から底部に渡って配設され、前記案内溝部に嵌入する横向き凸状の嵌入部とから成り、両者が抜き差し自在に接合されて成る。
本考案の請求項３に記載した考案は、請求項１に記載した差換構成カレンダーにおいて、
前記接合手段が、下部ケースの上端で幅方向に断続状に配設される下筒部と、上部ケースの下端で幅方向に断続状に配設される上筒部と、両者に挿入される支持ピンと、該支持ピンの抜け止め手段とから成り、下部ケースと上部ケースが折畳み展開自在に接合されて成る。
【考案の効果】
【０００６】
本考案の差換構成カレンダーによれば、カレンダーカードは勿論のこと絵柄カードも差換自在であるから、製造上では毎年同じものを使用できる上、同一ケースの量産による省力化も達成でき、また、使用する側では各月のカレンダーカードに対して絵柄カードを各種に選択して差換えできるから、変化に富んだ飽きのこないものに加えて浴室でも使用できるなど広範囲に渡って使用でき、運送時にはコンパクトな姿勢（平板状態）で梱包されるから運送コストも低減される効果がある。
【図面の簡単な説明】
【０００７】
【図１】本考案に係る差換構成カレンダーＡの説明図で、（ａ）はその使用状態の正面図であり、（ｂ）は分図（ａ）の平面図である。
【図２】差換構成カレンダーＡの分解状態の斜視図。
【図３】上部ケース１と下部ケース２との接合手段の説明図で、（ａ）は上部ケース１の両下端部に配設される係合雄部と、下部ケース２の両上端部に配設される係合雌部の部分説明図であり、（ｂ）は分図（ａ）のＰ矢視図であり、（ｃ）は分図（ａ）のＱ矢視図で、（ｄ）は係合ピン８の斜視図である。
【図４】下部ケース２の両下端部に配設される係合雌部の部分説明図で、（ａ）は図１の部分Ｒ矢視図であり、（ｂ）は分図（ａ）のＡ−Ａ矢視断面図である。
【図５】上部ケース１に収納される絵柄カード４の斜視図。
【図６】下部ケース２に収納されるカレンダーカード７の斜視図。
【図７】本考案に係る差換構成カレンダーＢの説明図で、（ａ）はその使用状態の正面図であり、（ｂ）は分図（ａ）の右側面図で、（ｃ）は該差換構成カレンダーＢの折り畳み状態の右側面図である。
【考案を実施するための形態】
【０００８】
本考案の差換構成カレンダーにおける上部ケースと下部ケースは合成樹脂製の射出成形品が最適であり、その接合手段は下部ケースに対して上部ケースを抜き差し自在に接合して、少なくとも引き抜き端で位置決め手段により位置決めするものや、上部ケースと下部ケースとを両者に成形される上筒部と下筒部に挿通して回動自在に軸支する支持ピンによって折畳み展開自在に接合して位置決めするなどである。そして、上部ケースに収納される絵柄カードは、防水材又は防水被膜などで防水処理され、両面に風景やペット等の絵柄の印刷されたものであり、下部ケースに収納されるカレンダーカードも前記の絵柄カードと同様に防水処理され、両面に各月の日付や曜日等の印刷されたものである。
また、前記位置決め手段としては、上部ケースの左右の枠縁である嵌入部の下端に設ける揺動片と該揺動片に設ける係合ピンとからなる係合雄部と、下部ケースの少なくとも上端部で案内溝部の底面に設ける切欠き孔からなる係合雌部とから成るものや、下部ケースに対して上部ケースを引き抜いた位置決め姿勢で外付けピン（又はネジ）を両者の嵌入部と案内溝部に貫設した孔（又はネジ孔）に係合するもの、或いは下部ケースの両案内溝部の上下方向で所要長さに貫設した長孔に上部ケースの両下端部に植設したピンを案内して引き抜き端を位置決めするものなどである。本考案における接合手段が折畳み展開自在な構成の場合には、上部ケースと下部とを同一形状とすることができるから、どちらか一方を量産することで製造上の省力化を達成できる。このほか、本考案からはカレンダーカードに代えて時間割カードとすれば文房具としての利用なども容易に想起される。
【実施例１】
【０００９】
本考案の差換構成カレンダーＡを実施例により説明すると、図１に示すように、合成樹脂製で射出成形される上部ケース１は同様の材質で射出成形される下部ケース２に対して抜き差し自在に嵌入されるものであり、上部ケース１の背面で所要個所に貼着された両面接着テープ又は面状ファスナーの雌雄係合による固定手段３によって壁面等に固定される。
上部ケース１と下部ケース２との関係を詳述すると、図２に示すように、下部ケース２の前方側には図６に示す各月の日付や曜日等の印刷されたカレンダーカード７を収納する収納部５を設け、後方側に上部ケース１を抜き差し自在に案内する案内部６を設けたものである。
すなわち、収納部５は仕切壁５aに対してその左右端から底部に渡って横向き凹状の溝枠５bを一連に形成したもので、溝枠５bにはその上方から図６に示すカレンダーカード７が収納され、案内部６には仕切壁５aに対して所定の間隔で並設した背板６aによってその両端から底部に渡って横向き凹状の案内溝部６bが形成される。そして、左右の案内溝部６bの上下端部の底面には、それぞれ図３（ｃ）及び図４（ａ）、（ｂ）に示すように、係合雌部としての切欠き孔６cが設けられる。
一方、上部ケース１は背板１aに対してその両端から底部に渡って案内溝部６bに嵌入する横向き凸状の嵌入部１bが形成され、上方の挿入口１cから左右の嵌入部１bの内面に挿入され、図５に示す両面に風景又はペット等の絵柄の印刷された絵柄カード４はその底縁が底部の嵌入部１bの底面に支持されて収められる。
さらに、左右の嵌入部１bの下端部には図３（ｂ）に示すように、係合雄部としての一対の貫設されたスリット１d、１d間に形成された揺動片１eと、揺動片１eに貫設された角形小孔１fに角軸８aを嵌着する係合ピン８と、両隅角部の底部で揺動片１eの揺動代分を開口する逃げ空間１gが構成される。
したがって、下部ケース２に対して上部ケース１を抜き差しする場合に、切欠き孔６cのない案内溝部６bを嵌入部１bが昇降するときは、嵌入部１bの両下端部の揺動片１eに係着された係合ピン８の頭部が案内溝部６bの底面を通過できるように、スリット１d、１d間の揺動片１eが弾性限度内で逃げ空間１gに後退変形するものであり、上部ケース１の抜き差しの各位置決め端では、係合ピン８の頭部が切欠き孔６cに合致するため、揺動片１eの弾性復元力で係合ピン８の頭部が切欠き孔６cに嵌着して位置決めが図られる。抜き差し自在な接合手段における位置決めは、係合ピン８と切欠き孔６cとの係合に限定するものではなく、両者の位置決め位置で外付けピン（ネジ）を両者の嵌入部１bと案内溝部６bに貫設した孔（又はネジ孔）に係合するもの、或いは下部ケース２の案内溝部６bの上下方向でその底面に所要長さに貫設した長孔に上部ケース１の両下端部に植設したピンを案内して引き抜き端を位置決めする。
【００１０】
このようにして成る差換構成カレンダーＡは、上部ケース１の嵌入部１bの内面に、その上方の挿入口１cから所要枚数の絵柄カード４が収められ、下部ケース２の収納部５には所要枚数のカレンダーカード７が収められ、下部ケース２の案内部６には上部ケース１が収められて縮小された運送姿勢となる。
差換カレンダーＡとして使用するときは、上部ケース１が下部ケース２の案内部６から引き抜かれ、係合ピン８が切欠き孔６cに係合して位置決めされ、その状態で背板１aの裏面の上方に設けた固定手段３の介存によって壁面に取着され、月々のカレンダーカード７に対して絵柄カード４を適宜差し換えるなり、その裏表を変えることによって多様の変化を伴って使用される。
カレンダーカード７及び絵柄カード４は防水処理されるものであるから浴室や結露の生じる湿度の高い場所でも使用できる。
【実施例２】
【００１１】
本考案の他の差換構成カレンダーＢについて説明すると、このものは図７に示すように、上部ケース１と下部ケース２は共に合成樹脂製の射出成形品で、両者にはそれぞれ相互に噛み合う上筒部９と下筒部１０とが所要数（同数）断続的に形成され、両上筒部９と下筒部１０には支持ピン１１が挿入され、支持ピン１１の挿入端には抜け止め手段の抜け止めピン１２が螺着されて両ケース１、２が折畳み展開自在に接合される。
そして、下部ケース２の背板２aに対して四周に周設された溝枠２bには一側方から挿入口２cが開口され、挿入口２cから所要枚数のカレンダーカード７が収納される。
一方、上部ケース１にも背板１aに対して四周に周設された溝枠１hの一側方から挿入口１iが開口され、挿入口１iから所要枚数の絵柄カード４が挿入されて収められる。
運送時には両ケース１、２がコンパクトに折り畳まれて縮小姿勢で効率よく運送され、使用時には上部ケース１の背板１aの裏面に設けられる両面接着テープや面状ファスナー等の固定手段３の介在により壁面等に取着される。
この差換構成カレンダーＢもカレンダーカード７や絵柄カード４が防水処理されるものであるから浴室等で使用できる。
本実施例では上部ケース１に絵柄カード４を収め、下部ケース２にカレンダーカード７を収めたものであるが、このものに限定するものではなく、下部ケース２に絵柄カード４を収め、上部ケース１にカレンダーカード７を収めても使用上は何ら支障を来たさない。
差換構成カレンダーＢにおいて、上部ケース１のみ（又は下部ケース２のみ）を量産して上部ケース１を上下対称状に配列して組み合わせれば、製造上省力化が達成される。その際に、横向きの挿入口１i、２cがそれぞれ一側と他側に配設されるだけで実質的に不便を被ることはない。さらに、カレンダーカード７においては、両面に渡って月毎の日付や曜日を表示しなければならないものでなく裏面をメモ欄としてもよい。
本考案におけるカレンダーカード７を学習教科の時間割カードとするなどは本考案から容易に想起され得る事項である。
【産業上の利用可能性】
【００１２】
本考案は、カレンダーカードを収納する下部ケースに対して、絵柄カードを収納する上部ケースが抜き差し自在に、又は折畳み展開自在に接合されるから、コンパクトな縮小姿勢が確保されて運送時の運送コストが低減され、使用時には絵柄カードが差換え自在であるからその時々の気分で絵柄を変更できて飽きのこない楽しいカレンダーである上、浴室などの湿度の高い空間でも使用できるから使用場所も広範となるなどで、その需要は大いに期待され得る。
【符号の説明】
【００１３】
１：上部ケース
１a：背板
１b：嵌入部
１c：挿入口
１d：スリット
１e：揺動片
１f：角形小孔
１g：逃げ空間
１h：溝枠
１i：挿入口
２：下部ケース
２a：背板
２b：溝枠
２c：挿入口
３：固定手段
４：絵柄カード
５：収納部
５a：仕切壁
５b：溝枠
６：案内部
６a：背板
６b：案内溝部
６c：切欠き孔
７：カレンダーカード
８：係合ピン
８a：角軸
９：上筒部
10：下筒部
11：支持ピン
12：抜け止めピン
Ａ、Ｂ：差換構成カレンダー
【図１】
0003169112.tif 000003
【図２】
0003169112.tif 000004
【図３】
0003169112.tif 000005
【図４】
0003169112.tif 000006
【図５】
0003169112.tif 000007
【図６】
0003169112.tif 000008
【図７】
0003169112.tif 000009